(57)【要約】【課題】かごに入った小鳥等がはっきりと見えやすく、餌等の交換や補充が簡単に行え、かごの側面に止まった小鳥等の足の爪が絡まないように工夫した小動物飼育用かごのカバーを提供する。【解決手段】かご１の前面部分に透明な前面プレート６を着脱可能に固定し、この前面プレート６に、かご１の上面１ｂと両側面１ｃ，１ｄと背面１ｅとから一定距離だけ離れて位置するカバー１２のフレーム体７を取付けるとともに、このフレーム体７に、かご１の上面１ｂ、両側面１ｃ，１ｄ、背面１ｅに対応する上面１１ｂ、両側面１１ｃ，１１ｄ、背面１１ｅを有するメッシュ状のネット１１を上方から被せて、このネット１１の前端部は、前面プレート６の外縁部に固定することにより、かご１の前面１ａの前面プレート６は透明であるから、飼育用かご１に入った小動物がはっきりと見えやすくなる。【選択図】図１
2007181412.tif 000002
【特許請求の範囲】
【請求項１】
かごの前面部分に透明な前面プレートを着脱可能に固定し、この前面プレートに、かごの上面と両側面と背面とから一定距離だけ離れて位置するフレーム体を取付けるとともに、このフレーム体に、かごの上面、両側面、背面に対応する上面、両側面、背面を有するメッシュ状のネットを上方から被せて、このネットの前端部は、前面プレートの外縁部に固定することを特徴とする小動物飼育用かごのカバー。
【請求項２】
前記前面プレートに、かごの扉部分に対応する扉を取付けていることを特徴とする請求項１に記載の小動物飼育用かごのカバー。
【請求項３】
前記ネットの前端部は、前面プレートの外縁部にメカニカルファスナーで着脱可能に係止固定していることを特徴とする請求項１または２に記載の小動物飼育用かごのカバー。
【請求項４】
前記かご下部に、かご下部よりも広い上受け口を形成したトレーを取付けて、前記前面プレートおよびネットの下端部を上受け口内に入れるようにしたことを特徴とする請求項１〜３のいずれか一項に記載の小動物飼育用かごのカバー。
【発明の詳細な説明】
【技術分野】
【０００１】
本発明は、小動物飼育用かごのカバーに関する。
【背景技術】
【０００２】
従来、鳥かご用のカバーとして、目の細かいネットを鳥かごに被せて、下をゴムでしぼったものがある（特許文献１参照）。
【０００３】
また、鳥かごの側面に、網状またはナイロンの生地を用いたカバーを付け、上下に伸縮性のあるものを用いたものがある。
【０００４】
このような鳥かご用のカバーは、かご内の羽毛や餌の皮等がかご周辺に飛散することを防止するためのものである。
【特許文献１】実開昭６３−１８６２４４号公報
【特許文献２】実開平１−１５５３５６号公報
【発明の開示】
【発明が解決しようとする課題】
【０００５】
しかしながら、各背景技術では、かご全体若しくはかご前面を含む周面に、目の細かいネット若しくは網状またはナイロンの生地のカバーを被せるものであるから、かごに入った小鳥等がはっきりと見えにくいとともに、餌等の交換や補充の際には、ネット若しくはカバーをかごから取外す必要があるから、餌等の交換や補充が簡単に行えないとともに、ネット若しくはカバーをかごから取外す時に、かごからネット若しくはカバーの間にこぼれ出た羽毛や餌の皮等がかご周辺に飛散するという問題があった。
【０００６】
また、かごから余裕を持たせてカバーを被せたとしても、カバーがかごに引っ付くことも多々あることから、小鳥がかごの側面に止まった時に、足の爪がカバーに絡むという問題があった。
【０００７】
本発明は、前記問題を解消するためになされたもので、かごに入った小鳥等がはっきりと見えやすく、餌等の交換や補充が簡単に行え、かごの側面に止まった小鳥等の足の爪が絡まないように工夫した小動物飼育用かごのカバーを提供することを目的とするものである。
【課題を解決するための手段】
【０００８】
前記課題を解決するために、本発明は、かごの前面部分に透明な前面プレートを着脱可能に固定し、この前面プレートに、かごの上面と両側面と背面とから一定距離だけ離れて位置するフレーム体を取付けるとともに、このフレーム体に、かごの上面、両側面、背面に対応する上面、両側面、背面を有するメッシュ状のネットを上方から被せて、このネットの前端部は、前面プレートの外縁部に固定することを特徴とする小動物飼育用かごのカバーを提供するものである。
【０００９】
前記前面プレートに、かごの扉部分に対応する扉を取付けている構成とすることが好ましい。
【００１０】
前記ネットの前端部は、前面プレートの外縁部にメカニカルファスナーで着脱可能に係止固定している構成とすることが好ましい。
【００１１】
前記かご下部に、かご下部よりも広い上受け口を形成したトレーを取付けて、前記前面プレートおよびネットの下端部を上受け口内に入れるようにした構成とすることが好ましい。
【発明の効果】
【００１２】
本発明によれば、かごの前面の前面プレートは透明であるから、飼育用かごに入った小動物（例えば小鳥等）がはっきりと見えやすくなるとともに、かごの前面から前面プレートを取外すだけで、餌等の交換や補充が簡単に行えるようになる。また、かごの前面、上面、両側面、背面が前面プレートとメッシュ状のネットとで覆われているから、かご内が暗くならず、通気性も確保できるとともに、かご内の羽毛や餌の皮等がかご周辺に飛散しなくなるので、かごを室内に衛生的に置くことができる。さらに、ネットは、フレーム体によって、かごから一定距離（例えば１ｃｍ）だけ離れて位置するから、小鳥等がかごの側面等に止まった時に、足の爪がネットに絡むのを未然に防止できるようになる。
【００１３】
また、前面プレートに、かごの扉部分に対応する扉を取付ければ、前面プレートを取外さなくても、餌等の交換や補充が簡単に行えるようになる。
【００１４】
さらに、ネットを前面プレートにメカニカルファスナーで着脱可能に係止固定すれば、前面プレートから簡単に取り外して洗濯等できるので、ネットを衛生的に保つことができる。
【００１５】
さらにまた、かご下部のトレーの上受け口内に前面プレートおよびネットの下端部を入れれば、かごから前面プレートやネットの間にこぼれ出た羽毛や餌の皮等が自然に上受け口からトレー内に回収されるので、かご周辺を汚さなくなる。
【発明を実施するための最良の形態】
【００１６】
以下、本発明を実施するための最良の形態について、図面を参照しながら詳細に説明する。
【００１７】
図１は、小動物（例えば小鳥）飼育用かご１にカバー１２を取付けた斜視図、図２は、かご１からカバー１２のネット１１（二点鎖線参照）を取外した斜視図、図３は、かご１からカバー１２のネット１１を取外した背面図である。
【００１８】
図４（ａ）は、かご１にネット１１を省略したカバー１２を取付けた正面図、（ｂ）は（ａ）の平面図、図５（ａ）はかご１にネット１１を省略したカバー１２を取付けた左側面図、（ｂ）はかご１にネット１１を省略したカバー１２を取付けた要部断面左側面図である。
【００１９】
かご１は、細い金属線材を格子状に組み合わせてなる前面１ａ、上面１ｂ、両側面１ｃ，１ｄ、背面１ｅおよび底面（具体的に図示せず。）とで四角箱形状に形成されている。
【００２０】
かご１の前面１ａの中央部には、小鳥等を出し入れするための中央扉１Ａが取付けられ、その左部と右部には、餌箱入れや水入れを出し入れするための左扉１Ｂと右扉１Ｃがそれぞれ取付けられ、各扉１Ａ〜１Ｃは、上下方向にスライド移動させることでかご１の開口を開閉できるようになっている。また、かご１の上面１ｂには、かご１を持ち運びするための持ち手１Ｄが取付けられている。
【００２１】
かご１の下部には、有底四角箱状のトレー２を取付けている。トレー２は、その両側部を外向きに撓ませながら、係止穴（具体的に図示せず。）をかご１の両側面１ｃ，１ｄの横向き係止突起部１ｇに無理嵌めすることで、かご１に下部に着脱可能に取付けられるようになる。トレー２の下部には、前後方向にスライド移動可能な引出し３が設けられて、小鳥の糞尿等を清掃できるようになっている。ここまでのかご１とトレー２の構造は、従来技術と同じである。
【００２２】
一方、トレー２には、かご１の下部よりも広い上受け口２ａが形成されている。
【００２３】
かご１の前面１ａには、板金製の四角枠状前面フレーム５が当てがわれ、この前面フレーム５の下端部は、トレー２の上受け口２ａ内に入れられている。前面フレーム５の両側部５ａ，５ｂには後方に突出する複数個のブラケット５ｃが形成され、このブラケット５ｃのねじ用穴５ｄを利用して、かご１の両側面１ｃ，１ｄに前面フレーム５の両側部５ａ，５ｂをねじ等（不図示）で固定するようになっている。前面フレーム５の両側部５ａ，５ｂには、ブラケット５ｃから離れた部位に、メカニカルファスナー１４のフック部（若しくはループ部）が取付けられている。
【００２４】
ここで、メカニカルファスナーとは、フック部とループ部とが対をなして、両者を強く圧迫すると、フック部とループ部とが相互に外れにくいように係止されるとともに、フック部とループ部とを手で強く引き剥がすと、フック部とループ部との係止が外れるものをいい、面ファスナーとも呼ばれている。
【００２５】
前面フレーム５の両側部５ａ，５ｂの内側には、上下方向のガイド溝５ｅがそれぞれ形成されて、このガイド溝５ｅに、透明な合成樹脂製の前面プレート６を上方から差し込んで、前面フレーム５の前面開口部分を透視可能に塞ぐようになっている。前面プレート６は、前面フレーム５を介してかご１の前面部分に着脱可能に固定されるようになる。
【００２６】
前面プレート６には、かご１の扉１Ａ〜１Ｃの部分に対応する扉６Ａ〜６Ｃが取付けられ、各扉６Ａ〜６Ｃは、かご１の扉１Ａ〜１Ｃと同様に、上下方向にスライド移動させることで前面プレート６の開口を開閉できるようになっている。
【００２７】
そして、前面プレート６の各扉６Ａ〜６Ｃを開いた状態で、かご１の各扉１Ａ〜１Ｃを開くことができる。
【００２８】
前面フレーム５の両側部５ａ，５ｂの上部には、前向きに開放した略コ字形状の水平フレーム７Ａの両端部がナット部材８で着脱可能に固定されるとともに、水平フレーム７Ａの後端部には、下向きに開放した略コ字形状に垂直フレーム７Ｂがヒンジ部材９で折り畳み可能にヒンジ結合されている。水平フレーム７Ａと垂直フレーム７Ｂとでフレーム体７が構成される。したがって、ナット部材８を外すことで、前面フレーム５からフレーム体７を取外すことができ、取り外したフレーム体７の水平フレーム７Ａと垂直フレーム７Ｂとをヒンジ部材９で偏平に折り畳むことができる。
【００２９】
垂直フレーム７Ｂの両下端部は、かご１の両側面１ｃ，１ｄと背面１ｅとのコーナー部にフック部材１０で着脱可能に係止して、前後揺動しないように保持することができる。
【００３０】
フレーム体７の水平フレーム７Ａと垂直フレーム７Ｂとは、かご１の上面１ｂと両側面１ｃ，１ｄと背面１ｅとから一定距離（例えば１ｃｍ）だけ離れて位置するように設定されている。
【００３１】
かご１の上面１ｂ、両側面１ｃ，１ｄ、背面１ｅに対応する上面１１ｂ、両側面１１ｃ，１１ｄ、背面１１ｅを有する合成繊維製のメッシュ状ネット（家庭用網戸のネットのようなもの）１１を設けて、このネット１１は、上方からフレーム体７の水平フレーム７Ａと垂直フレーム７Ｂとに被せることができる。
【００３２】
ネット１１の両側面１１ｃ，１１ｄの前端部は、前面フレーム５の両側部５ａ，５ｂのメカニカルファスナー１４のフック部に対向するループ部（若しくはフック部）が取付けられて、このメカニカルファスナー１４でネット１１の前端部を前面フレーム５の外縁部に着脱可能に係止固定できるようになっている。
【００３３】
フレーム体７に被せたネット１１の下端部は、ネット１１の柔軟性を利用して、トレー２の上受け口２ａ内に入れることができる。
【００３４】
なお、ネット１１の上面１１ｂに、かご１の上部の持ち手１Ｄを引き出すスリットを形成することが好ましい。
【００３５】
前面フレーム５、前面プレート６、フレーム体７およびネット１１等でかご１のカバー１２が構成されることになる。
【００３６】
前記のようなかご１のカバー１２であれば、かご１の前面１ａの前面プレート６は透明であるから、かご１に入った小鳥等がはっきりと見えやすくなるとともに、前面プレート６には、かご１の扉１Ａ〜１Ｃの部分に対応する扉６Ａ〜６Ｃを形成しているから、前面プレート６を取外さなくても、餌等の交換や補充が簡単に行えるようになる。
【００３７】
なお、前面プレート６を前面フレーム５のガイド溝５ｅから簡単に抜き差しして、取付け、取外しできるようにしておけば、前面プレート６に必ずしも扉６Ａ〜６Ｃを形成する必要は無く、前面フレーム５から前面プレート６を取外すだけで、餌等の交換や補充が簡単に行えるようになる。
【００３８】
また、かご１の前面１ａ、上面１ｂ、両側面１ｃ，１ｄ、背面１ｅが前面プレート６とメッシュ状のネット１１とで覆われているから、かご１内が暗くならず、通気性も確保できるとともに、かご１内の羽毛や餌の皮等がかご１周辺に飛散しなくなるので、かご１を室内に衛生的に置くことができる。さらに、ネット１１は、フレーム体７によって、かごから一定距離（例えば１ｃｍ）だけ離れて位置するから、小鳥等がかご１の側面１ｃ，１ｄ等に止まった時に、足の爪がネット１１に絡むのを未然に防止できるようになる。
【００３９】
さらにまた、ネット１１は、前面プレート６を差し込んだ前面フレーム５にメカニカルファスナー１４で着脱可能に係止固定することにより、前面フレーム５から簡単に取外して洗濯等できるので、ネット１１を衛生的に保つことができる。
【００４０】
また、かご１の下部のトレー２の上受け口２ａに、前面プレート６を差し込んだ前面フレーム５およびネット１１の下端部を入れることにより、かご１から前面プレート６やネット１１の間にこぼれ出た羽毛や餌の皮等が自然に上受け口２ａからトレー２内に回収されるので、かご１の周辺を汚さなくなる。
【００４１】
前記実施形態では、かご１に前面フレーム５を固定して、前面フレーム５に前面プレート６を差し込んだものであったが、前面フレーム５を省略して、かご１に前面プレート６を直接固定して、前面プレート６にフレーム体７を固定することもできる。
【００４２】
前記実施形態では、四角箱形状のかご１であったが、六角形状等の多角形状や円筒形状のかごにも適用することができる。
【００４３】
前記実施形態では、鳥かごを前提としたが、小鳥に限らず、ハムスターやモルモット等の小動物用かごにも適用することができる。
【図面の簡単な説明】
【００４４】
【図１】本発明の実施形態に係る小動物飼育用かごにカバーを取付けた斜視図である。
【図２】かごからカバーのネットを取外した斜視図である。
【図３】かごからカバーのネットを取外した背面図である。
【図４】（ａ）は、かごにネットを省略したカバーを取付けた正面図、（ｂ）は（ａ）の平面図である。
【図５】（ａ）はかごにネットを省略したカバーを取付けた左側面図、（ｂ）はかごにネットを省略したカバーを取付けた要部断面左側面図である。
【符号の説明】
【００４５】
１      かご
１Ａ〜１Ｃ  扉
１ａ    前面
１ｂ    上面
１ｃ，１ｄ  両側面
１ｅ    背面
２      トレー
２ａ    上受け口
５      前面フレーム
６      前面プレート
６Ａ〜６Ｃ  扉
７      フレーム体
１１    ネット
１１ｂ  上面
１１ｃ，１１ｄ  両側面
１１ｅ  背面
１２    カバー
１４    メカニカルファスナー
【図１】
2007181412.tif 000003
【図２】
2007181412.tif 000004
【図３】
2007181412.tif 000005
【図４】
2007181412.tif 000006
【図５】
2007181412.tif 000007